(57)【要約】【課題】金属製で重量のある作業用具や取り付け部品等を収容して使用する、用具入れそのものの重量増加は、用具入れの取扱いを困難にしていた。用具入れが傾斜状態のまま吊り下げられた場合、傾斜して横向きに傾いた開口部から収容物が落ちてしまう虞がある。【解決手段】吸水し難い部材により形成されて、作業用具の出し入れ開口１１ａ及び収容空間１１ｂを備え、収容空間１１ｂの底部に、非金属製部材による強化部１５と共に内側から外側へ貫通する貫通孔１６を設けた収容部１１と、収容部１１と一体化して、頂部を出し入れ開口１１ａの上方に位置させる長さに形成され、出し入れ開口１１ａを水平状態に収容部１１を吊り下げる下げ手１２と、下げ手１２と一体化した二重構造を有して形成され、収容部１１を吊り下げる際の吊り下げ保持範囲を下げ手１２の頂部に制限する保持制限部１３とを有する。【選択図】図１
2018011660.tif 000002
【特許請求の範囲】
【請求項１】
吸水し難い部材により形成されて、作業用具の出し入れ開口及び収容空間を備え、前記収容空間の底部に、非金属製部材による強化部と共に内側から外側へ貫通する貫通孔を設けた収容部と、
前記収容部と一体化して、頂部を前記出し入れ開口の上方に位置させる長さに形成され、前記出し入れ開口を水平状態に前記収容部を吊り下げる下げ手と、
前記下げ手と一体化した二重構造を有して形成され、前記収容部を吊り下げる際の吊り下げ保持範囲を前記下げ手の頂部に制限する保持制限部と
を有する作業用具容器。
【請求項２】
前記下げ手を、前記出し入れ開口の周縁の、出し入れ開口面中心を通る２本の直線が交差する四箇所に固定して形成した、請求項１に記載の作業用具容器。
【請求項３】
外側からの照射光に対し、外側から視認可能に反射光を生じさせる反射部を形成した、請求項１または２に記載の作業用具容器。
【発明の詳細な説明】
【技術分野】
【０００１】
この発明は、作業に使用するための用具等を収容する作業用具容器に関し、特に、高所での作業時に、作業現場に運び込んで使用する作業用具容器に関する。
【背景技術】
【０００２】
従来、電気工事等の各種作業時、作業に使用するスパナやドライバ等の作業用具を、作業現場に運び込むための用具入れが知られている。
用具入れは、作業用具を出し入れするための開口部を有する、例えば袋状に形成されており、金属製で重量のある作業用具や取り付け部品等を内部に収容するために、十分な強度を備える必要がある。十分な強度を確保する構成として、例えば、用具収容部となる袋部を厚手の帆布を素材として形成し、袋部の底に木や鉄の補強部材を組み込んでいる。
【０００３】
この用具入れは、例えば、鉄塔等の高所で作業する場合に、作業現場である高所へ運び込まれるが、その際、引き上げ用機械のフックに吊り下げられて引き上げることができるように、用具入れには、フックを引っ掛けて吊り下げるためのロープが取り付けられている。このロープにフックを引っ掛けて吊り下げられた用具入れは、開口部を水平状態にして吊り下げたまま、作業現場まで引き上げられると共に作業現場に留め置かれる。
このような用具入れとして、例えば、高所に工具等を運搬する高所用運搬具（特許文献１参照）がある。
【先行技術文献】
【特許文献】
【０００４】
【特許文献１】特開２０１２−２０８３１号公報
【発明の概要】
【発明が解決しようとする課題】
【０００５】
しかしながら、用具入れの袋部が厚手の帆布で形成され、袋部の底に木や鉄の補強部材が組み込まれていると、用具入れ自体が重くなってしまうのに加え、雨に濡れた場合、雨水が開口部から入って袋部内に溜まる上に帆布に吸収されるため、更に重量が増してしまうことになる。金属製で重量のある作業用具や取り付け部品等を収容して使用する、用具入れそのものの重量増加は、用具入れの取扱いを困難にしていた。
また、ロープをフックに引っ掛けて吊り下げる際、用具入れ内の収容物が一方に偏ってしまうと、収容物の偏りに伴いフックに引っ掛けられたロープが移動して用具入れが傾き、傾斜状態のまま吊り下げられることになる。用具入れが傾斜状態のまま吊り下げられた場合、傾斜して横向きに傾いた開口部から収容物が落ちてしまう虞がある。
【０００６】
この発明の目的は、雨に濡れても重量増加をもたらさず取扱いを困難にすることがなく、吊り下げ時の傾きを防止して吊り下げ時に開口部から収容物が落下する虞がない、重量のある作業用具を収容する十分な強度を備えた作業用具容器を提供することである。
【課題を解決するための手段】
【０００７】
上記目的を達成するため、この発明に係る作業用具容器は、吸水し難い部材により形成されて、作業用具の出し入れ開口及び収容空間を備え、前記収容空間の底部に、非金属製部材による強化部と共に内側から外側へ貫通する貫通孔を設けた収容部と、前記収容部と一体化して、頂部を前記出し入れ開口の上方に位置させる長さに形成され、前記出し入れ開口を水平状態に前記収容部を吊り下げる下げ手と、前記下げ手と一体化した二重構造を有して形成され、前記収容部を吊り下げる際の吊り下げ保持範囲を前記下げ手の頂部に制限する保持制限部とを有することを特徴とする。
【０００８】
上記構成を有することにより、雨に濡れても重量増加をもたらさず取扱いを困難にすることがなく、吊り下げ時の傾きを防止して吊り下げ時に開口部から収容物が落下する虞がない、重量のある作業用具を収容する十分な強度を備えた作業用具容器を提供することができる。
【０００９】
この発明の作業用具容器では、前記下げ手を、前記出し入れ開口の周縁の、出し入れ開口面中心を通る２本の直線が交差する四箇所に固定して形成したことが好ましい。この構成によれば、下げ手は、出し入れ開口の周縁において、開口面中心を通って対向する両側の二箇所が偏り無く位置するので、収容部の吊り下げ時、出し入れ開口を水平状態にすることができる。
【００１０】
この発明の作業用具容器では、外側からの照射光に対し、外側から視認可能に反射光を生じさせる反射部を形成したことが好ましい。この構成によれば、夜間や暗闇でも、ライトの照射光を当てた反射光により、作業用具容器を見つけ易くすることができるので、作業用具容器を、例えば、高所に置き忘れた場合でも、容易に見つけ出すことができる。
【発明の効果】
【００１１】
この発明によれば、雨に濡れても重量増加をもたらさず取扱いを困難にすることがなく、吊り下げ時の傾きを防止して、吊り下げ時に開口部から収容物が落下するのを防止することができる、重量のある作業用具を収容する十分な強度を備えた作業用具容器とすることができる。
【図面の簡単な説明】
【００１２】
【図１】この発明の一実施の形態に係る作業用具容器の側方から見た全体像を示す図面代用写真である。
【図２】図１の作業用具容器の外側から見た底部を示す図面代用写真である。
【図３】図１の作業用具容器の開口側から見た内部を示す図面代用写真である。
【図４】図１の作業用具容器の下げ手の一部を示す図面代用写真である。
【発明を実施するための形態】
【００１３】
以下、この発明を実施するための形態について図面を参照して説明する。
図１は、この発明の一実施の形態に係る作業用具容器の側方から見た全体像を示す図面代用写真であり、図２は、図１の作業用具容器の外側から見た底部を示す図面代用写真であり、図３は、図１の作業用具容器の開口側から見た内部を示す図面代用写真であり、図４は、図１の作業用具容器の下げ手を示す図面代用写真である。
【００１４】
図１から図４に示すように、作業用具容器１０は、作業用具を収容する収容部１１と、収容部１１を吊り下げる下げ手１２と、収容部１１を吊り下げる際の吊り下げ保持範囲を制限する保持制限部１３とを有している。この作業用具容器１０は、例えば、電気工事等の各種作業時、作業に使用するスパナやドライバ等の作業用具、更には、各種作業において使用するボルト・ナットや取り付け部品等を、容器内部に収容して作業現場に持ち込むための用具入れとして用いられる。なお、以後の説明において、作業用具には、作業用具のみならず取り付け部品等の容器内部に収容するもの全てを含むものとする。
【００１５】
収容部１１は、吸水し難い部材により、底部を有する、例えば円筒形状に形成されており、作業用具を出し入れする出し入れ開口１１ａ及び作業用具を収納する収容空間１１ｂを備えている（図１参照）。吸水し難い部材としては、例えば樹脂部材（本実施形態では、ポリエステル）が用いられ、形状としては、円筒形状に限るものではなく、横断面が楕円形の筒形状や矩形の箱形状等、その他の形状に形成しても良く、また、出し入れ開口１１ａも、楕円形や矩形等、その他の形状でも良い。この収容部１１は、出し入れ開口１１ａが形成される上端部分を底面に向かって押し下げることにより、周壁部分が屈曲して小さく折り畳んだ状態にすることができる。よって、作業用具容器１０の不使用時等には、折り畳んで嵩張ることなく収納することができる。
【００１６】
出し入れ開口１１ａの周縁部、即ち、収容部１１の上端開口周縁部は、袋状に形成され、内部に、形状保持機能を有する非金属部材からなる環状部材１４が組み込まれている（図１参照）。非金属部材として、例えば樹脂部材、本実施形態では、軽量で耐衝撃性に優れた、アクリル変性高衝撃塩化ビニル板（商品名：カイダック、住友ベークライト株式会社製）が用いられる。環状部材１４により、出し入れ開口１１ａの開口形状を、本実施形態の円環状に保持することができると共に、衝撃等に対する耐久性を高めることができる。
【００１７】
収容空間１１ｂの底部には、非金属部材による強化部１５と共に、内外表面を貫通する貫通孔１６が設けられている（図２，３参照）。非金属部材として、例えば樹脂部材、本実施形態では、軽量で耐衝撃性に優れた、アクリル変性高衝撃塩化ビニル板が用いられる。
出し入れ開口１１ａの環状部材１４として、また、収容空間１１ｂの強化部１５として、何れも、例えば樹脂部材を用いることにより、木や鉄の補強部材を用いた場合に比べて軽量化を図ることができる上に、雨に濡れても鉄のようにさびが発生することがない。特に、アクリル変性高衝撃塩化ビニル板を用いることで、大幅な軽量化が可能になる。
【００１８】
強化部１５は、アクリル変性高衝撃塩化ビニル板により形成された、底部形状に対応した形状（本実施形態では円盤状）の板体からなり、収容部１１の底部（即ち、収容空間１１ｂの底部）を二重底状態にして、その間に埋設状態に組み込まれている。二重底は、収容部１１の底部に、強化部材（本実施形態ではケブラー繊維）で作ったシート１５ａを重ねて縫い付けることにより、形成している（図３参照）。この強化部１５により、収容部１１として必要な強度を確保した上でより軽量化を図ることができ、作業用具容器１０を使用する際、特に、高所での作業に使用する際の利便性を高めることができる。
【００１９】
貫通孔１６は、強化部１５が組み込まれた収容部１１の底部（即ち、収容空間１１ｂの底部）を、強化部１５と共に貫通する、複数個が配置されている。この貫通孔１６により、例えば、降雨により収容部１１（即ち、収容空間１１ｂ）内に雨水が入り込んでも、入り込んだ雨水が底部に溜まること無く、収容部１１の外へ排出される。つまり、収容部１１は、吸水し難い部材（本実施形態ではポリエステル）により形成されているので、収容部１１内に入り込んだ水分は、収容部１１に吸収されることなく底部に集まるが、随時、貫通孔１６から収容部１１外に排出されることになる。そのため、収容部１１自体の吸水による重量増が無く、加えて、収容部１１底部に溜まる水分による重量増も無い。
【００２０】
貫通孔１６の個数は、本実施形態では底部平面に離間して２個（図２，３参照）が設けられているが、底部平面の中央に１個或いは中央近傍に３個等、収容部１１の形状や使用状況に伴う強度や重量等に応じて、底部からの排水に効果的な任意の数を任意の位置に設けることができる。
【００２１】
下げ手１２は、収容部１１に、例えば縫い付けることにより一体的に取り付けられて（図１，２参照）、出し入れ開口１１ａの上方に逆Ｕ字状に突出しており、下げ手１２を介して、出し入れ開口１１ａを水平状態に収容部１１を吊り下げることができる。下げ手１２を有することにより、作業用具容器１０を作業現場である高所へ運び込む際に、作業現場に設置された引き上げ用機械のフック（図示しない）に下げ手１２を引っ掛けて、本実施形態の場合、２個の下げ手１２を同時に引っ掛けて、収容部１１を吊り下げ引き上げることができる。なお、下げ手１２は、フック（図示しない）に引っ掛ける場合に限らず、直接手で持つこともでき、下げ手１２を手で持って、作業用具容器１０を作業現場へ運び込むこともできる。
【００２２】
この下げ手１２は、使用目的・条件に合わせた引張強度を有する部材、例えば樹脂部材（一例として、本実施形態の収容部１１に用いられるポリエステル）により、本実施形態では、帯状に形成されて、出し入れ開口１１ａの周縁の、開口面中心を通って対向する両側の二箇所に配置されている。出し入れ開口１１ａの周縁の二箇所に配置された下げ手１２は、二箇所それぞれで、出し入れ開口１１ａの上方に同一長さで逆Ｕ字状に突出すると共に、収容部１１の外周面の高さ方向に沿って底面に達し、底面で直交するように連続して形成されている。つまり、本実施形態の下げ手１２は、収容部１１の底面で直交し、外周面で周方向に略等間隔離間する４箇所を通り、出し入れ開口１１ａの上方に、略同一位置（高さ）で逆Ｕ字状に突出している。
【００２３】
このように、下げ手１２は、出し入れ開口１１ａの周縁の、出し入れ開口面中心を通る２本の直線が交差する４箇所（本実施形態では、２本の直線が直交し等間隔で離間する４箇所、図１参照）に固定して形成されており、出し入れ開口１１ａの周縁において、開口面中心を通って対向する両側の二箇所に偏り無く位置するので、収容部１１の吊り下げ時、出し入れ開口１１ａを水平状態にすることができる。
下げ手１２は、２本が出し入れ開口１１ａの上方に突出して配置されるが、２本が、出し入れ開口１１ａの上方で、交差状態（例えば直交状態）に、或いは交差せずに並んだ状態（例えば平行状態）に、何れの状態に配置されていても良い。
【００２４】
下げ手１２の長さは、収容部１１の形状や大きさに応じて調整する。作業用具容器１０は、作業現場の高所に吊り上げられると、フックから外すことなくフックにぶら下げたままにしておくか、或いはフックから外て作業場所近傍の台等に載せておく。このため、フックにぶら下げたまま或いは台等に載せておく何れの場合でも、下げ手１２が出し入れ開口１１ａにかかって作業用具の出し入れの邪魔になったり、フックにぶら下げた場合に両下げ手１２の間が狭くなってしまうのを防止することができる、十分な長さを確保する。
【００２５】
従って、下げ手１２の長さを、出し入れ開口１１ａが、常時、円環状を確保することができるように、少なくとも、作業用具容器１０を台等に載せておいた際に出し入れ開口１１ａにかかってしまうことなく収容部１１の外側に持っていける長さ、一例として、本実施形態では、出し入れ開口１１ａから突出する長さが、片側３５ｃｍずつの全長７０ｃｍ以上にすることが望ましい。なお、下げ手１２が出し入れ開口１１ａにかかってしまうことなく収容部１１の外側に持っていける長さは、収容部１１の形状及び大きさに応じて変わるので、収容部１１の形状及び大きさに応じた長さにする。
【００２６】
また、下げ手１２には、下げ手１２を介した収容部１１の吊り下げ時、引き上げ用機械のフック（図示しない）に掛かる最上部、即ち、フックに係止して略二等辺三角形状になる下げ手１２の頂部の近傍に、保持制限部１３が設けられている（図４参照）。保持制限部１３は、下げ手１２と同様の引張強度を有する部材、例えば樹脂部材（一例として、本実施形態の収容部１１に用いられるポリエステル）により、下げ手１２と同様の帯状に形成され、下げ手１２の頂部の一定範囲を覆って下げ手１２に重ね、その両端が下げ手１２に固定されることで、下げ手１２と一体化した二重構造を有している。
【００２７】
この保持制限部１３により、下げ手１２の頂部には、下げ手１２との間に一定範囲の移動空間が形成されて、保持制限部１３にフックを係止させた場合、保持制限部１３の移動範囲は移動空間のみに制限されることになり、収容部１１を吊り下げる際の吊り下げ保持範囲を下げ手１２の頂部近傍に制限することができる。
【００２８】
従って、引き上げ用機械により収容部１１を吊り下げる際、フックを保持制限部１３に係止させることで、たとえ、収容部１１内で収容物の偏りが生じたとしても、フックに引っ掛けられた保持制限部１３の移動が移動空間のみに制限されるので、収容部１１内での収容物の偏りに伴って収容部１１が傾くことが無く、収容部１１が傾斜状態のまま吊り下げられることを防止することができる。よって、引き上げ用機械による収容部１１の吊り下げ時、収容部１１内での収容物の偏りが予想される場合や突然の収容物の偏りが生じた場合でも、出し入れ開口１１ａが横向きに傾いてしまう収容部１１の傾きを防止して、吊り下げ時に出し入れ開口１１ａから収容物が落下する虞を生じさせない。
【００２９】
収容部１１の外周面と底面には、収容部１１の外側からの照射光に対し、外側から視認可能に反射光を生じさせる反射部として、ライトの照射光に反射する帯状の反射テープ１７が形成されている（図１，２参照）。反射テープ１７は、外周面の全周に渡って（本実施形態では、開口１１ａと略平行に２本）、底面の全域に（本実施形態では、四角枠状）、それぞれ、例えば縫い付けて取り付けられている。反射テープ１７を設けたことにより、夜間や暗闇でも、ライトの照射光を当てた反射光により、反射テープ１７、即ち、作業用具容器１０を見つけ易くすることができるので、作業用具容器１０を、例えば、高所に置き忘れた場合でも、容易に見つけ出すことができる。
【００３０】
なお、作業用具容器１０の内、少なくとも収容部１１を、例えば、赤色やオレンジ色の、日中に目立つ色に着色することで、作業用具容器１０を容易に認識して探し出すことができる。
収容部１１の収容空間１１ｂには、特に大きかったり重かったりする作業用具を固定するための固定部１８が、固定時、収容部１１のバランスを取るため、出し入れ開口１１ａの開口面直径位置になるように、任意の数が設けられている（図１，３参照）。固定部１８は、作業用具を固定するための種々の形状や固定及び保持手段により形成することができ、本実施形態では、スナップ止めによりリング状になる帯状部材を、収容部１１の内周面に取り付けて形成されている。この固定部１８により、長さが長かったり形状が不安定な作業用具を、収容部１１内で移動することなく固定配置することができる。
【００３１】
また、収容部１１に、作業用具を収容した収容部１１が傾くこと無くバランスが取れるように、出し入れ開口１１ａの開口面を均等に仕切るように収容空間１１ｂを区画する仕切り部を設けても良い。
【産業上の利用可能性】
【００３２】
この発明によれば、雨に濡れても重量増加をもたらさず取扱いを困難にすることがなく、吊り下げ時の傾きを防止して、吊り下げ時に開口部から収容物が落下するのを防止することができる、重量のある作業用具を収容する十分な強度を備えた作業用具容器とすることができるので、例えば、鉄塔等の高所で作業するため、作業現場である高所へ運び込む際に、引き上げ用機械のフックに吊り下げられて引き上げることができる作業用具容器として最適である。
【符号の説明】
【００３３】
１０  作業用具容器
１１  収容部
１１ａ  出し入れ開口
１１ｂ  収容空間
１２  下げ手
１３  保持制限部
１４  環状部材
１５  強化部
１５ａ  シート
１６  貫通孔
１７  反射テープ
１８  固定部
【図１】
2018011660.tif 000003
【図２】
2018011660.tif 000004
【図３】
2018011660.tif 000005
【図４】
2018011660.tif 000006